(57)【要約】      （修正有）【課題】クラブのフェイスにゴルフボールを適切に当てるためのより実践的な練習を実現する練習用ゴルフボールを提供する。【解決手段】練習用ゴルフボール１０において、透明なボール本体１と、ボール本体１の中心からオフセットした位置に設けられた有色の標的部２とを備えたことを特徴とする。【選択図】図１
2019069083.tif 000002
【特許請求の範囲】
【請求項１】
練習用ゴルフボールにおいて、
透明なボール本体と、
前記ボール本体の中心からオフセットした位置に設けられた有色の標的部とを備えたことを特徴とする、練習用ゴルフボール。
【請求項２】
請求項１に記載の練習用ゴルフボールにおいて、
前記標的部は、球形状であることを特徴とする、練習用ゴルフボール。
【請求項３】
請求項２に記載の練習用ゴルフボールにおいて、
前記標的部は、直径１０ｍｍ以上２０ｍｍ以下であることを特徴とする、練習用ゴルフボール。
【請求項４】
請求項１に記載の練習用ゴルフボールにおいて、
前記標的部は、楕円形状であることを特徴とする、練習用ゴルフボール。
【請求項５】
請求項１に記載の練習用ゴルフボールにおいて、
前記標的部は、卵形形状であることを特徴とする、練習用ゴルフボール。
【請求項６】
請求項１に記載の練習用ゴルフボールにおいて、
前記標的部は、棒形状であることを特徴とする、練習用ゴルフボール。
【請求項７】
請求項４乃至６のいずれか１項に記載の練習用ゴルフボールにおいて、
前記標的部は、前記ボール本体の半径方向に長手方向を有することを特徴とする、練習用ゴルフボール。
【請求項８】
請求項１に記載の練習用ゴルフボールにおいて、
前記標的部は、前記ボール本体の表面上に形成された凹部内に設けられていることを特徴とする、練習用ゴルフボール。
【請求項９】
練習用ゴルフボールにおいて、
透明なボール本体と、
前記ボール本体の中心を通って延びる棒形状の有色の標的部とを備えたことを特徴とする、練習用ゴルフボール。
【請求項１０】
請求項１乃至９のいずれか１項に記載の練習用ゴルフボールにおいて、
前記ボール本体と前記標的部とは比重が同じであることを特徴とする、練習用ゴルフボール。
【発明の詳細な説明】
【技術分野】
【０００１】
本発明は、ゴルフスイングを練習するための練習用ゴルフボールに関する。
【背景技術】
【０００２】
従来、ゴルフスイングを練習するための様々な練習用ゴルフボールが知られている（例えば、特許文献１参照）。この種の練習用ゴルフボールは、主にゴルフボールを適切に打てるように練習することを目的としている。
【０００３】
また、ボールの中心や重心を意識した球技練習に適した構造を有したボールが提案されている（例えば、特許文献２参照）。この種のボールは、塩化ビニル樹脂等で形成されたボール本体と比較的比重の小さいスポンジ状の合成樹脂等で形成された中心球とを備え、中心球が常にボール全体の中心に位置するように取り付けられている。これにより、ボールの中心に対する感覚を身につけることができ、技能の上達を短時間で達成することを目的としている。
【０００４】
ゴルフボールは、クラブの適切な位置で打たないと所望の弾道で飛ばない。例えば、クラブでゴルフボールを打つときに、クラブのフェイス重心より数ｍｍ下にゴルフボールが当たると、ゴルフボールが当たった力によってクラブのフェイスが起きる方向に傾く。これにより、ゴルフボールはフェイスに乗り、バックスピン（逆回転）を伴って飛ぶため、地面に着地した後にあまり転がらずに止まる。
【０００５】
一方、クラブのフェイス重心より上にゴルフボールが当たると、ゴルフボールがフェイスに当たった力によってフェイスが寝る方向に傾く。これにより、ゴルフボールはフェイスの上を滑って引っ掛からず、バックスピンがかからないことにより所望の距離を飛ばないので、飛距離がコントロールできず、またバックスピンがかからないために地面に着地した後に転がってしまう。
【０００６】
ロフト表記に従って地面ギリギリをフェイスが通るようにクラブを振り、フェイス重心にゴルフボールに当てることが重要になるが、ロフト表記の角度の通りフェイスをゴルフボールに当てることが難しい。このため、ゴルフボールの手前の地面をフェイスで叩いたり、地面よりだいぶ上をフェイスが通過するようにクラブを振ったりしてしまう。
【先行技術文献】
【特許文献】
【０００７】
【特許文献１】特開２０１１−１７７４７９号公報
【特許文献２】特開平９−２４１２８号公報
【発明の概要】
【発明が解決しようとする課題】
【０００８】
しかしながら、上記特許文献１に係る練習用ゴルフボールは、クラブで打つゴルフボールの表面上の位置を意識し過ぎてしまうことにより適切なスイングを実現することが困難であった。そこで、初心者や、どうしても上手く打てない人はティーを使ってボールを地面から浮かせて練習する方法があるが、実際のアプローチはティーを使わずに打つのでより実践的な練習が求められていた。
【０００９】
また、上記特許文献２によるゴルフボールは、中心球がボールの中心に位置しており、ボールの表面から中心球までの距離が大きい。すなわち、ボール表面と中心球との間に介在する塩化ビニル樹脂等が多い上、中心球が輪郭のはっきりしないスポンジ状の合成樹脂等で形成されているため、中心球がぼやけて見えてユーザーから見え難かった。
【００１０】
本発明は、上述した従来の技術が有する課題を解消し、クラブのフェイスにゴルフボールを適切に当てるためのより実践的な練習を実現する練習用ゴルフボールを提供することにある。
【課題を解決するための手段】
【００１１】
本発明は、練習用ゴルフボールにおいて、透明なボール本体と、前記ボール本体の中心からオフセットした位置に設けられた有色の標的部とを備えたことを特徴とする。
【００１２】
この場合において、前記標的部は、球形状であってもよい。前記標的部は、直径１０ｍｍ以上２０ｍｍ以下であってもよい。前記標的部は、楕円形状であってもよい。前記標的部は、卵形形状であってもよい。前記標的部は、棒形状であってもよい。前記標的部は、前記ボール本体の半径方向に長手方向を有していてもよい。前記標的部は、前記ボール本体の表面上に形成された凹部内に設けられていてもよい。
【００１３】
また、本発明は、練習用ゴルフボールにおいて、透明なボール本体と、前記ボール本体の中心を通って延びる棒形状の有色の標的部とを備えていてもよい。
【００１４】
上記場合において、前記ボール本体と前記標的部とは比重が同じであってもよい。
【発明の効果】
【００１５】
本発明では、クラブのフェイスにゴルフボールを適切に当てるためのより実践的な練習を実現することができる。
【図面の簡単な説明】
【００１６】
【図１】第１実施形態に係る練習用ゴルフボールを示す斜視図である。
【図２】練習用ゴルフボールがユーザーによってクラブで打たれる様子を示す図であり、図２（ａ）はクラブが練習用ゴルフボールに当たる前の状態を示し、図２（ｂ）はクラブが練習用ゴルフボールに当たった瞬間の状態を示し、図２（ｃ）は練習用ゴルフボールが飛んだ状態を示している。
【図３】第２実施形態に係る練習用ゴルフボールを示す斜視図である。
【図４】第３実施形態に係る練習用ゴルフボールを示す斜視図である。
【図５】第４実施形態に係る練習用ゴルフボールを示す斜視図である。
【図６】第５実施形態に係る練習用ゴルフボールを示す斜視図である。
【図７】変形例に係る標的部を示す図であり、図７（ａ）は卵形形状の標的部を示し、図７（ｂ）は楕円形状の標的部を示している。
【発明を実施するための形態】
【００１７】
以下、図面を参照して、本発明の好適な実施の形態について説明する。
［１］第１実施形態
図１は、第１実施形態に係る練習用ゴルフボールを示す斜視図である。
以下、練習用ゴルフボール１０について説明する。
【００１８】
練習用ゴルフボール１０は、ボール本体１と標的部２とを備えている。この練習用ゴルフボール１０は、通常のゴルフボールと略同じ大きさ、略同じ重さ、略同じ硬度で形成されている。
【００１９】
ボール本体１は、通常のゴルフボールを模した形状を有しており、表面にはディンプルが形成されている。このボール本体１は、無色透明の樹脂で形成されており、中に設けられた標的部２が明確に球形状に視認可能なほど透明に形成されている。このボール本体１は、通常のゴルフボールと同じように直径４３ｍｍに形成されている。
【００２０】
標的部２は、球形状を有している。この標的部２は、ボール本体１と略同じ比重の有色の樹脂で形成されている。標的部２の色として使用される色は、例えば白色であり、緑色等のゴルフ練習場やゴルフコースにおいて練習用ゴルフボール１０が配置される場所の色とは明確に異なる色であることが望ましい。また、標的部２に影色を付してより立体的に見えるようにしてもよい。標的部２の直径は、１０ｍｍ以上２０ｍｍ以下、望ましくは１１ｍｍ以上１５ｍｍ以下である。標的部２は、標的部２の中心がボール本体１の中心からオフセットした位置になるように設けられている。本実施形態に係る標的部２は、ボール本体１の表面から露出しない位置に設けられている。すなわち、ボール本体１の表面と標的部２との間にボール本体１を形成する樹脂の一部が介在している。なお、ボール本体１の中心を通る位置に設けられていてもよい。
【００２１】
練習用ゴルフボール１０は、全体として通常のゴルフボールの大きさと同じであるが、実際にユーザーがクラブで打つときは、ボール本体１が透明であることにより小さな標的部２がボール本体１の中で浮いているように見える。これにより、ユーザーは、ゴルフボールをティーの上に置いて打つような感覚でスイングできるため、クラブで地面を叩いたり、地面よりだいぶ上の方をクラブのフェイスが通過するようにクラブを振ったりしてしまうことを防止するための練習に役立つ。
【００２２】
図２は、練習用ゴルフボールがユーザーによってクラブで打たれる様子を示す図である。なお、図２（ａ）はクラブが練習用ゴルフボールに当たる前の状態を示し、図２（ｂ）はクラブが練習用ゴルフボールに当たった瞬間の状態を示し、図２（ｃ）は練習用ゴルフボールが飛んだ状態を示している。
【００２３】
練習用ゴルフボール１０をクラブで打つ際には先ず、図２（ａ）に示すように、標的部２がユーザー側になるように練習用ゴルフボール１０を芝上に置く。すなわち、練習用ゴルフボール１０は、ユーザーの目と練習用ゴルフボール１０の中心との間を結んだ仮想線上に標的部２が位置するように芝上に置かれる。
【００２４】
練習用ゴルフボール１０は、標的部２がボール本体１の中心に対して偏心していることにより、標的部２がユーザー側に位置するように練習用ゴルフボール１０を置いたときに、ユーザーと標的部２との間に介在するボール本体１を形成する樹脂が少ない。このため、ユーザーからボール本体１を通して標的部２が明確に視認できるようになっている。
【００２５】
次に、ユーザーは、練習用ゴルフボール１０の標的部２に意識を集中させて、クラブ２０のフェイス２１の重心点Ｇで標的部２を打つつもりでクラブ２０を振る。
【００２６】
クラブ２０のフェイス２１に当たった練習用ゴルフボール１０は、図２（ｂ）に示すように、クラブ２０のフェイス２１に当たると、フェイス２１上を若干転がりながら弾き飛ばされる。このとき、練習用ゴルフボール１０には、バックスピンＡが生じる。
【００２７】
弾き飛ばされた練習用ゴルフボール１０は、図２（ｃ）に示すように、クラブ２０の特性に応じた所望の弾道で飛んでいく。
【００２８】
本実施形態に係る練習用ゴルフボール１０は、透明なボール本体１と、ボール本体１の中心からオフセットした位置に設けられた非透明な標的部２とを備えている。これにより、練習用ゴルフボール１０が配置された場所の色がボール本体１を通してユーザーから視認でき、例えば、芝に練習用ゴルフボール１０が配置されている場合はボール本体１が芝と同じ緑色に見えて芝のなかに溶け込んで見える。このため、練習用ゴルフボール１０から離れた位置から視認しているユーザーには標的部２のみが目立ってはっきりと見え、ユーザーはボール本体１のいずれかの表面上の位置にクラブ２０のフェイス２１を当てることを意識することなくクラブ２０を振り抜くことができ、クラブ２０のフェイス２１にゴルフボールを適切に当てるための実践的な練習を実現することができる。
【００２９】
［２］第２実施形態
図３は、第２実施形態に係る練習用ゴルフボールを示す斜視図である。
第２実施形態では、図３に示すように、重量調節塊３を有するという構成が第１実施形態と異なっている。なお、図３において、第１実施形態と略同様の構成は、同一の符号を付して重複する説明を省略し、異なる部分を詳細に説明する。
【００３０】
本実施形態に係る練習用ゴルフボール１０では、練習用ゴルフボール１０の重量を調節する重量調節塊３がボール本体１の中心に設けられている。この重量調節塊３は、球形状を有しており、金属や鉱物混合樹脂等、ボール本体１よりも比重の重い材料で形成されている。
【００３１】
［３］第３実施形態
図４は、第３実施形態に係る練習用ゴルフボールを示す斜視図である。
第３実施形態では、図４に示すように、棒形状の標的部４を有するという構成が第１実施形態と異なっている。なお、図４において、第１実施形態と略同様の構成は、同一の符号を付して重複する説明を省略し、異なる部分を詳細に説明する。
【００３２】
本実施形態に係る練習用ゴルフボール１０は、ボール本体１の中心を通って延びる棒形状の非透明な標的部４を備えている。この棒形状の標的部４は、第１実施形態に係る標的部２と同様の材料で角柱形状に形成されているとともに、同様の色を有している。また、棒形状の標的部４は、ボール本体１と略同じ比重で形成されている。なお、棒形状の標的部４は、ボール本体１の中心を通らない程度の長さに形成されていてもよい。
【００３３】
［４］第４実施形態
図５は、第４実施形態に係る練習用ゴルフボールを示す斜視図である。ここで、図５（ａ）は、半球形状の標的部を備えた練習用ゴルフボールを示し、図５（ｂ）は、膜形状の標的部を備えた練習用ゴルフボールを示している。
【００３４】
第４実施形態では、図５に示すように、標的部の形状及び位置が第１実施形態と異なっている。なお、図５において、第１実施形態と略同様の構成は、同一の符号を付して重複する説明を省略し、異なる部分を詳細に説明する。
【００３５】
本実施形態に係る練習用ゴルフボール１０は、ボール本体１の表面で露出しており、半球形状の標的部５を備えた練習用ゴルフボール１０は、図５（ａ）に示すように、全体として真球形状を有している。
【００３６】
一方、膜形状の標的部６を備えた練習用ゴルフボール１０は、図５（ｂ）に示すように、標的部６がボール本体１から若干盛り上がった形状を有している。
【００３７】
［５］第５実施形態
図６は、第５実施形態に係る練習用ゴルフボールを示す斜視図である。
第５実施形態では、図６に示すように、標的部の構成が第１実施形態と異なっている。なお、図６において、第１実施形態と略同様の構成は、同一の符号を付して重複する説明を省略し、異なる部分を詳細に説明する。
【００３８】
本実施形態に係る練習用ゴルフボール１０は、図６に示すように、ボール本体１の表面に凹部１ａが形成されており、この凹部１ａ内にシート状の薄い標的部７が嵌め込まれている。なお、この標的部７は、例えば、紙や樹脂で形成されており、表面にゴルフボールを模した図面等がプリントされており、裏面に粘着面が設けられている。
【００３９】
以上、実施形態に基づいて本発明を説明したが、本発明は、これに限定されるものではない。上記実施形態では、球形状の標的部２等を用いて本発明を説明しているが、これに限定されず、例えば、図７（ａ）に示すような卵形形状の標的部２ａや、図７（ｂ）に示すような楕円形状の標的部２ｂであってもよい。このとき、楕円形状や卵形形状の標的部は、練習用ゴルフボール１０の半径方向に長手方向を有するように配置することにより、ユーザーは標的部２ａ，２ｂをより視認し易くすることができる。なお、楕円形状や卵形形状の標的部２（ａ），２（ｂ）は、旧形状の標的部に比べて、周囲から入った光をユーザーの目に向けて反射させる反射面の面積が大きいので、ユーザーは標的部２（ａ），２（ｂ）をより明確に視認することができる。これにより、卵形形状の曲率半径が大きい方の端部が半径方向外側になるように標的部２ａをボール本体１内に配置すると、練習用ゴルフボール１０をクラブで打つ時に、ユーザーから見た標的部２ａは円形の中心近傍が外縁近傍よりも明るく見える。一方、卵形形状の曲率半径が小さい方の端部が半径方向外側になるように標的部２ａをボール本体１内に配置すると、練習用ゴルフボール１０をクラブで打つ時に、ユーザーから見た標的部２ａは円形の外縁近傍が中心近傍よりも明るく見える。
【符号の説明】
【００４０】
１    ボール本体
２    標的部
２ａ  標的部
２ｂ  標的部
４    標的部
５    標的部
６    標的部
７    標的部
３    重量調節塊
１０    練習用ゴルフボール
２０    クラブ
２１    フェイス
【図１】
2019069083.tif 000003
【図２】
2019069083.tif 000004
【図３】
2019069083.tif 000005
【図４】
2019069083.tif 000006
【図５】
2019069083.tif 000007
【図６】
2019069083.tif 000008
【図７】
2019069083.tif 000009